(57)【要約】【課題】ポンプ内が汚れていても内部を観察可能なポンプ観察装置およびポンプ観察方法を提供する。【解決手段】撮像装置と、前記撮像装置が取り付けられ、液体を噴射するように構成された噴射部材と、を備えるポンプ観察装置が提供される。【選択図】図２
2018178724.tif 000002
【特許請求の範囲】
【請求項１】
撮像装置と、
前記撮像装置が取り付けられ、液体を噴射するように構成された噴射部材と、を備えるポンプ観察装置。
【請求項２】
前記噴射部材は、ポンプ観察時に、ポンプ内の観察対象および／または前記撮像装置のレンズに液体を噴射する、請求項１に記載にポンプ観察装置。
【請求項３】
前記噴射部材には、ポンプ観察時に、
ポンプ内の観察対象に向かって液体を噴射する第１噴射口と、
前記撮像装置のレンズに向かって液体を噴射する第２噴射口と、
が設けられる請求項１に記載にポンプ観察装置。
【請求項４】
所定方向に延びており、先端に前記撮像装置を保持する保持部材を備え、
前記噴射部材は、前記撮像装置のレンズより先まで前記所定方向に延びており、ポンプ観察時に、
前記噴射部材の先端に設けられ、前記所定方向に液体を噴射する第１噴射口と、
前記噴射部材の先端と前記レンズとの間に設けられ、前記レンズに向かって液体を噴射する第２噴射口と、
が設けられる、請求項１に記載のポンプ観察装置。
【請求項５】
前記撮像装置は、前記レンズに液体が噴射された後に、前記観察対象を撮像する、請求項２乃至４のいずれかに記載のポンプ観察装置。
【請求項６】
前記噴射部材は、シャワー状または直射状に液体を噴射する、請求項１乃至５のいずれかに記載のポンプ観察装置。
【請求項７】
前記噴射部材は、液体をシャワー状に噴射するか、直射状に噴射するかを切り替え可能である、請求項６に記載のポンプ観察装置。
【請求項８】
ポンプのポンプケーシングにおけるハンドホールを開き、
該ハンドホールを通して前記ポンプケーシング内に、撮像装置および該撮像装置が取り付けられた噴射部材を備えたポンプ観察装置を入れ、
前記噴射部材から、ポンプ内の観察対象および／または前記撮像装置のレンズに液体を噴射し、
前記撮像装置が前記観察対象を撮像する、ポンプ観察方法。
【発明の詳細な説明】
【技術分野】
【０００１】
本発明は、ポンプの内部を観察するポンプ観察装置およびポンプ観察方法に関する。
【背景技術】
【０００２】
立軸ポンプなどのポンプは、例えば排水機場に設置されて吸込水槽の水を吐出水槽に排出する。ポンプの使用を続けると内部が劣化したり腐食したりする可能性があるため、定期的に内部を観察して診断する必要がある。
【先行技術文献】
【特許文献】
【０００３】
【特許文献１】特開２００８−２０２５７５号公報
【発明の概要】
【発明が解決しようとする課題】
【０００４】
ポンプ内は泥などで汚れていることが多く、その内部を観察するのは容易ではない。
本発明はこのような問題点に鑑みてなされたものであり、本発明の課題は、ポンプ内が汚れていても内部を観察可能なポンプ観察装置およびポンプ観察方法を提供することである。
【課題を解決するための手段】
【０００５】
本発明の一態様によれば、撮像装置と、前記撮像装置が取り付けられ、液体を噴射するように構成された噴射部材と、を備えるポンプ観察装置が提供される。
液体を噴射することで、観察対象や撮像装置を洗浄でき、汚れたポンプ内の観察が可能となる。
【０００６】
前記噴射部材は、ポンプ観察時に、ポンプ内の観察対象および／または前記撮像装置のレンズに液体を噴射するのが望ましい。
これにより、観察対象や撮像装置が洗浄される。
【０００７】
前記噴射部材には、ポンプ観察時に、ポンプ内の観察対象に向かって液体を噴射する第１噴射口と、前記撮像装置のレンズに向かって液体を噴射する第２噴射口と、が設けられるのが望ましい。
これにより、観察対象および撮像装置の両方に液体を噴射できる。
【０００８】
所定方向に延びており、先端に前記撮像装置を保持する保持部材を備え、前記噴射部材は、前記撮像装置のレンズより先まで前記所定方向に延びており、ポンプ観察時に、前記噴射部材の先端に設けられ、前記所定方向に液体を噴射する第１噴射口と、前記噴射部材の先端と前記レンズとの間に設けられ、前記レンズに向かって液体を噴射する第２噴射口と、が設けられてもよい。
これにより、噴射部材が延びる方向にある観察対象および撮像装置の両方に液体を噴射できる。
【０００９】
前記撮像装置は、前記レンズに液体が噴射された後に、前記観察対象を撮像するのが望ましい。
これにより、レンズの汚れを洗浄した後に観察できる。
【００１０】
前記噴射部材は、シャワー状または直射状に液体を噴射するのが望ましい。より望ましくは、前記噴射部材は、液体をシャワー状に噴射するか、直射状に噴射するかを切り替え可能である。
【００１１】
また、本発明の別の態様によれば、ポンプのポンプケーシングにおけるハンドホールを開き、該ハンドホールを通して前記ポンプケーシング内に、撮像装置および該撮像装置が取り付けられた噴射部材を備えたポンプ観察装置を入れ、前記噴射部材から、ポンプ内の観察対象および／または前記撮像装置のレンズに液体を噴射し、前記撮像装置が前記観察対象を撮像する、ポンプ観察方法が提供される。
【発明の効果】
【００１２】
液体を噴射することで、ポンプ内が汚れていても内部を観察できる。
【図面の簡単な説明】
【００１３】
【図１】立軸ポンプ１の概略図。
【図２】一実施形態に係るポンプ観察装置１００の概略図。
【図３Ａ】噴射形状の一例を示す図。
【図３Ｂ】噴射形状の別の例を示す図。
【発明を実施するための形態】
【００１４】
以下、本発明に係る実施形態について、図面を参照しながら具体的に説明する。以下、観察対象のポンプとして立軸ポンプを例示する。
【００１５】
図１は、立軸ポンプ１の概略図である。立軸ポンプ１はポンプケーシング２を備え、その下部の吸込口２ａから水を吸い上げる。ポンプケーシング２にはハンドホール３が設けられている。立軸ポンプ１内を観察する場合、ハンドホール３を開いて、ハンドホール３を通してポンプケーシング２内にポンプ観察装置を入れる。ここで、ポンプケーシング２内は汚れていることが多いため、観察対象が不鮮明となったり、ポンプ観察装置自体が汚れたりして適切に観察を行えないおそれがある。そこで、本実施形態では次のようなポンプ観察装置を用いる。
【００１６】
図２は、一実施形態に係るポンプ観察装置１００の概略図である。ポンプ観察装置１００は、撮像装置１１と、保持部材１２と、噴射部材１３とを備えている。
【００１７】
撮像装置１１はＣＣＤカメラなどであり、その先端にレンズ１１ａを有している。そして、撮像装置１１は保持部材１２の先端に保持されて、工業用内視鏡２０を構成する。保持部材１２内には撮像装置１１と接続された配線が通っており、外部から電源供給や撮像装置１１の制御が行われたり、撮像装置１１で得られた画像データが伝送されたりする。
【００１８】
保持部材１２および噴射部材１３は同じ方向に延びている。そして、噴射部材１３は固定用バンド１４などによって保持部材１２に取り付けられる。すなわち、保持部材１２を介して撮像装置１１と噴射部材１３とが互いに取り付けられる。保持部材１２および噴射部材１３は、図１のハンドホール３から所望の観察対象箇所までの距離より長い。また、保持部材１２および噴射部材１３は可撓性があるのが望ましい。
【００１９】
本実施形態の特徴の１つとして、噴射部材１３の根元には不図示の液体供給源が設けられており、噴射部材１３は洗浄水などの液体を観察対象および／またはレンズ１１ａに噴射するように構成されている。なお、観察対象とはレンズ１１ａを介して撮像装置１１が撮像可能な領域の少なくとも一部であり、主にポンプケーシング２の内面を言う。以下、具体的に説明する。
【００２０】
噴射部材１３の先端側は撮像装置１１のレンズ１１ａより先まで延びている。そして、噴射部材１３が延びる方向を向いた噴射口１３ａが、噴射部材１３の先端に設けられる。さらに、噴射部材１３の先端より手前、言い替えると、レンズ１１ａより噴射部材１３のやや先端側に、レンズ１１ａを向いた噴射口１３ｂが設けられる。
【００２１】
噴射口１３ａからは、噴射部材１３が延びる方向すなわち観察対象に向かって液体が噴射される。これにより、主にポンプケーシング２内の観察対象を洗浄できる。一方、噴射口１３ｂからは、噴射部材１３が延びる方向と直交する方向すなわちレンズ１１ａに向かって液体が噴射される。これにより、主にレンズ１１ａを洗浄できる。このようにして観察時に液体を噴射して洗浄を行った直後に撮像装置１１による撮像を行うことで、ポンプケーシング２内が汚れている場合でも、ポンプケーシング２内を観察できる。
【００２２】
なお、噴射口１３ａ，１３ｂの両方から常に液体が噴射されるようにしてもよいし、噴射口１３ａ，１３ｂのいずれか一方から選択的に液体が噴射されるようにしてもよいし、観察者が切り替えられるようにしてもよい。液体の噴射は、例えば噴射部材１３の根元に設けられた不図示のトリガを観察者が引くことによって行われ得る。
【００２３】
また、噴射される液体の形状も種々考えられる。例えば、より高圧で洗浄を行うべく、直射状に液体を噴射可能であってもよい（図３Ａ）。あるいは、より広範に洗浄を行うべく、シャワー状に拡散するよう液体を噴射可能であってもよい（図３Ｂ）。また、直線状とするかシャワー状とするかを観察者が切り替えられるようにしてもよい。また、噴射される液体の形状は、２つの噴射口１３ａ，１３ｂで共通していてもよいし、異なっていてもよく、個別に切り替えられてもよい。
【００２４】
さらに、噴射口の数や位置にも制限はなく、３以上設けてもよいし、１つのみの噴射口からシャワー状に液体を噴射して観察対象およびレンズ１１ａを洗浄できるようにしてもよい。さらに言えば、液体を噴射するのは、観察対象のみであってもよいし、レンズ１１ａのみであってもよい。また、撮像装置１１を直接噴射部材１３に固定するなどによって、撮像装置１１が噴射部材１３に取り付けられてもよく、必ずしも保持部材１２や固定用バンド１４を用いなくてもよい。
【００２５】
このように、本実施形態では、ポンプ観察装置１００から液体を噴射する。そのため、ポンプケーシング２内が汚れている場合でも観察対象や、撮像装置１１のレンズ１１ａを予め洗浄でき、ポンプ内を適切に観察できる。
【００２６】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００２７】
１  立軸ポンプ
２  ポンプケーシング
２ａ  吸込口
３  ハンドホール
１００  ポンプ観察装置
１１  撮像装置
１１ａ  レンズ
１２  保持部材
１３  噴射部材
１３ａ，１３ｂ  噴射口
１４  固定用バンド
２０  工業用内視鏡
【図１】
2018178724.tif 000003
【図２】
2018178724.tif 000004
【図３Ａ】
2018178724.tif 000005
【図３Ｂ】
2018178724.tif 000006